(57)【要約】  高精細化されたプラズマディスプレイパネルにおいても、壁電荷の調整を適正に行って安定した書込み動作を行い、プラズマディスプレイ装置における画像表示品質を高める。そのために、プラズマディスプレイ装置は、複数の走査電極を有するプラズマディスプレイパネルと、初期化期間と書込み期間と維持期間とを有するサブフィールドを１フィールド内に複数設けて階調表示するサブフィールド法による駆動電圧を発生して走査電極に印加する走査電極駆動回路とを備える。走査電極駆動回路は、維持期間の最後に、ベース電位から第１の電位まで上昇する第１の傾斜波形電圧を走査電極に印加し、続いて走査電極の電位を第１の電位以下の第２の電位とし、続いて第２の電位から第１の電位よりも高い第３の電位まで上昇する第２の傾斜波形電圧を走査電極に印加する。
2012017633.tif 000002
【特許請求の範囲】
【請求項１】
複数の走査電極を有するプラズマディスプレイパネルと、
初期化期間と書込み期間と維持期間とを有するサブフィールドを１フィールド内に複数設けて階調表示するサブフィールド法による駆動電圧を発生して前記走査電極に印加する走査電極駆動回路とを備え、
前記走査電極駆動回路は、
前記維持期間の最後に、ベース電位から第１の電位まで上昇する第１の傾斜波形電圧を前記走査電極に印加し、
続いて前記走査電極の電位を前記第１の電位以下の第２の電位とし、
続いて前記第２の電位から前記第１の電位よりも高い第３の電位まで上昇する第２の傾斜波形電圧を前記走査電極に印加する
ことを特徴とするプラズマディスプレイ装置。
【請求項２】
前記走査電極駆動回路は、
前記第１の傾斜波形電圧が前記第１の電位に到達した後、
前記走査電極の電位を一旦前記ベース電位とし、その後、前記走査電極の電位を前記ベース電位から前記第２の電位とし、
続いて前記第２の電位から前記第３の電位まで上昇する前記第２の傾斜波形電圧を前記走査電極に印加する
ことを特徴とする請求項１に記載のプラズマディスプレイ装置。
【請求項３】
複数の走査電極を有するプラズマディスプレイパネルを、初期化期間と書込み期間と維持期間とを有するサブフィールドを１フィールド内に複数設けて階調表示するサブフィールド法により駆動するプラズマディスプレイパネルの駆動方法であって、
前記維持期間の最後に、ベース電位から第１の電位まで上昇する第１の傾斜波形電圧を前記走査電極に印加し、
続いて前記走査電極の電位を前記第１の電位以下の第２の電位とし、
続いて前記第２の電位から前記第１の電位よりも高い第３の電位まで上昇する第２の傾斜波形電圧を前記走査電極に印加する
ことを特徴とするプラズマディスプレイパネルの駆動方法。
【請求項４】
前記第１の傾斜波形電圧が前記第１の電位に到達した後、
前記走査電極の電位を一旦前記ベース電位とし、その後、前記走査電極の電位を前記ベース電位から前記第２の電位とし、
続いて前記第２の電位から前記第３の電位まで上昇する前記第２の傾斜波形電圧を前記走査電極に印加する
ことを特徴とする請求項３に記載のプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
表示デバイスとして代表的なプラズマディスプレイパネル（以下、「パネル」と略記する）は、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルの発光と非発光とを制御する。そして、１フィールドに発生する発光の回数を制御することにより階調表示を行う。【０００６】
各サブフィールドは、初期化期間、書込み期間および維持期間を有する。【０００７】
初期化期間では、各走査電極に初期化波形を印加し、各放電セルで初期化放電を発生する。これにより、各放電セルにおいて、続く書込み動作のために必要な壁電荷を形成するとともに、書込み放電を安定して発生するためのプライミング粒子（放電を発生させるための励起粒子）を発生する。【０００８】
書込み期間では、走査電極には走査パルスを順次印加し、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、この動作を「書込み」とも記す）。【０００９】
維持期間では、走査電極と維持電極とからなる表示電極対に、サブフィールド毎に定められた数の維持パルスを交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、サブフィールド毎に定められた輝度重みに応じた輝度で発光させる。このようにして、パネルの各放電セルを画像信号の階調値に応じた輝度で発光させて、パネルの画像表示領域に画像を表示する。【００１０】
パネルに表示される画像の品質を高める上で重要な要因の１つにコントラストの向上がある。そして、サブフィールド法によるパネルの駆動方法の１つとして、階調表示に関係しない発光を極力減らし、パネルに表示される画像のコントラストを向上する駆動方法が開示されている。【００１１】
この駆動方法では、１フィールドを構成する複数のサブフィールドのうち、１つのサブフィールドの初期化期間では、パネルの画像表示領域内の全ての放電セルに初期化放電を発生する初期化動作を行う。また、他のサブフィールドの初期化期間では、直前のサブフィールドの維持期間で維持放電を発生した放電セルにおいて選択的に初期化放電を発生する初期化動作を行う。【００１２】
以下、直前のサブフィールドの動作にかかわらず、画像表示領域内の全ての放電セルに初期化放電を発生する初期化動作のことを「全セル初期化動作」と呼称する。また、直前のサブフィールドの維持期間で維持放電を発生した放電セルにおいて選択的に初期化放電を発生する初期化動作のことを「選択初期化動作」と呼称する。【００１３】
維持放電を発生しない黒表示領域の輝度（以下、「黒輝度」と略記する）は、階調値の大きさに関係なく生じる発光によって変化する。この発光には、例えば、初期化放電によって生じる発光がある。上述の駆動方法では、黒表示領域における発光は、全ての放電セルで初期化放電を発生する初期化動作を行うときの微弱発光だけとなる。これにより、パネルに表示される画像の黒輝度を低減し、コントラストの高い画像をパネルに表示することが可能となる（例えば、特許文献１参照）。【００１４】
また、電圧が徐々に増加する緩やかな傾斜部分を持つ立ち上がり部と、電圧が徐々に減少する緩やかな傾斜部分を持つ立ち下がり部とを有する初期化波形を走査電極に印加し、直前のサブフィールドの維持期間で維持放電を発生した放電セルに初期化放電を発生する初期化期間を設け、かつ、１フィールドの任意の初期化期間の直前に、全ての放電セルを対象として維持電極と走査電極の間に微弱放電を発生する期間を設ける駆動方法が開示されている（例えば、特許文献２参照）。この駆動方法では、パネルに表示される画像の黒輝度を低減し、黒の視認性を向上することができる。【００１５】
近年、パネルの高精細化にともない、放電セルのさらなる微細化が進んでいる。この微細化された放電セルでは、初期化放電によって放電セル内に形成された壁電荷が、隣接する放電セルに発生する書込み放電や維持放電の影響を受けて変化しやすいことが確認されている。【００１６】
すなわち、維持放電を発生しない放電セルと維持放電を発生する放電セルとが互いに隣接すると、維持放電を発生しない放電セルの壁電荷は、隣接する放電セルに発生する維持放電の影響を受けて変化しやすい。そして、維持期間に発生する維持パルスの数が多いサブフィールドでは、その影響が大きくなることも確認されている。【００１７】
放電セルに不要な壁電荷が過剰に蓄積すると、例えば書込み放電を発生するべきでない放電セルに誤った書込み放電が発生するおそれがある。以下、このような誤って発生する放電のことを「誤放電」とも記す。そして、誤放電は、プラズマディスプレイ装置における画像表示品質の劣化の原因となる。【００１８】
プラズマディスプレイ装置においては、パネルの大画面化、高精細化にともない、画像表示品質のさらなる向上が望まれている。
【先行技術文献】
【特許文献】
【００１９】
【特許文献１】特開２０００−２４２２２４号公報
【特許文献２】特開２００４−３７８８３号公報
【発明の概要】
【００２０】
本発明のプラズマディスプレイ装置は、複数の走査電極を有するパネルと、初期化期間と書込み期間と維持期間とを有するサブフィールドを１フィールド内に複数設けて階調表示するサブフィールド法による駆動電圧を発生して走査電極に印加する走査電極駆動回路とを備える。走査電極駆動回路は、維持期間の最後に、ベース電位から第１の電位まで上昇する第１の傾斜波形電圧を走査電極に印加し、続いて走査電極の電位を第１の電位以下の第２の電位とし、続いて第２の電位から第１の電位よりも高い第３の電位まで上昇する第２の傾斜波形電圧を走査電極に印加する。
【００２１】
これにより、各放電セルで、１回目の消去放電を発生する際の放電開始電圧に差があり、１回目の消去放電の放電発生量にばらつきが生じたとしても、２回目の消去放電を発生することで、１回目の消去放電に２回目の消去放電を加えたときの放電発生量を互いにほぼ同等にすることができる。したがって、高精細化によって微細化された放電セルを有するパネルにおいても、消去放電の放電発生量を、各放電セルで、互いにほぼ同等にすることができ、消去動作以降の初期化動作および書込み動作を安定に行うことが可能となる。
【００２２】
また、本発明のプラズマディスプレイ装置において、走査電極駆動回路は、第１の傾斜波形電圧が第１の電位に到達した後、走査電極の電位を一旦ベース電位とし、その後、走査電極の電位をベース電位から第２の電位とし、続いて第２の電位から第３の電位まで上昇する第２の傾斜波形電圧を走査電極に印加してもよい。
【００２３】
本発明のパネルの駆動方法は、複数の走査電極を有するパネルを、初期化期間と書込み期間と維持期間とを有するサブフィールドを１フィールド内に複数設けて階調表示するサブフィールド法により駆動する。そして、維持期間の最後に、ベース電位から第１の電位まで上昇する第１の傾斜波形電圧を走査電極に印加し、続いて走査電極の電位を第１の電位以下の第２の電位とし、続いて第２の電位から第１の電位よりも高い第３の電位まで上昇する第２の傾斜波形電圧を走査電極に印加する。
【００２４】
これにより、各放電セルで、１回目の消去放電を発生する際の放電開始電圧に差があり、１回目の消去放電の放電発生量にばらつきが生じたとしても、２回目の消去放電を発生することで、１回目の消去放電に２回目の消去放電を加えたときの放電発生量を互いにほぼ同等にすることができる。したがって、高精細化によって微細化された放電セルを有するパネルにおいても、消去放電の放電発生量を、各放電セルで、互いにほぼ同等にすることができ、消去動作以降の初期化動作および書込み動作を安定に行うことが可能となる。
【００２５】
また、本発明のパネルの駆動方法では、第１の傾斜波形電圧が第１の電位に到達した後、走査電極の電位を一旦ベース電位とし、その後、走査電極の電位をベース電位から第２の電位とし、続いて第２の電位から第３の電位まで上昇する第２の傾斜波形電圧を走査電極に印加してもよい。
【図面の簡単な説明】
【００２６】
【図１】図１は、本発明の一実施の形態におけるプラズマディスプレイ装置に用いるパネルの構造を示す分解斜視図である。
【図２】図２は、本発明の一実施の形態におけるプラズマディスプレイ装置に用いるパネルの電極配列図である。
【図３】図３は、本発明の一実施の形態におけるプラズマディスプレイ装置に用いるパネルの各電極に印加する駆動電圧波形の一例を示す波形図である。
【図４】図４は、本発明の一実施の形態におけるプラズマディスプレイ装置の回路ブロック図である。
【図５】図５は、本発明の一実施の形態における走査電極駆動回路の一構成例を示す回路図である。
【図６】図６は、本発明の一実施の形態における維持期間の最後の期間および選択初期化期間の走査電極駆動回路の動作の一例を説明するためのタイミングチャートである。
【図７】図７は、本発明の一実施の形態における電圧Ｖｒ２と書込みパルス（振幅）との関係を示す特性図である。
【図８】図８は、本発明の一実施の形態における電圧Ｖｒ２と黒輝度との関係を示す特性図である。
【発明を実施するための形態】
【００２７】
以下、本発明の実施の形態におけるプラズマディスプレイ装置について、図面を用いて説明する。
【００２８】
（実施の形態）
図１は、本発明の一実施の形態におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００２９】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく、かつ耐久性に優れた酸化マグネシウム（ＭｇＯ）を主成分とする材料で形成されている。
【００３０】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００３１】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。なお、本実施の形態では、放電セルにおける発光効率を向上するために、キセノン分圧を約１０％とした放電ガスを用いている。
【００３２】
放電空間は隔壁３４によって複数の区画に仕切られており、表示電極対２４とデータ電極３２とが交差する部分に放電セルが形成されている。こうして、パネル１０には複数の放電セルが形成される。
【００３３】
そして、これらの放電セルで放電を発生し、放電セルの蛍光体層３５を発光（放電セルを点灯）することにより、パネル１０にカラーの画像を表示する。
【００３４】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００３５】
なお、パネル１０の構造は上述したものに限られるわけではなく、例えば隔壁が垂直方向（列方向）にのみ配置されるストライプ状の隔壁を備えたものであってもよい。また、放電ガスの混合比率も上述した数値に限られるわけではなく、その他の混合比率であってもよい。
【００３６】
図２は、本発明の一実施の形態におけるプラズマディスプレイ装置に用いるパネル１０の電極配列図である。パネル１０には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列されており、垂直方向（列方向）に延長されたｍ本のデータ電極Ｄ１〜データ電極Ｄｍ（図１のデータ電極３２）が配列されている。
【００３７】
そして、１対の走査電極ＳＣｉ（ｉ＝１〜ｎ）および維持電極ＳＵｉと１つのデータ電極Ｄｋ（ｋ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００３８】
次に、パネル１０を駆動するための駆動電圧波形とその動作の概要について説明する。
【００３９】
なお、本実施の形態におけるプラズマディスプレイ装置は、サブフィールド法によってパネル１０に階調を表示する。サブフィールド法では、１フィールドを時間軸上で複数のサブフィールドに分割し、各サブフィールドにそれぞれ輝度重みを設定する。それぞれのサブフィールドは初期化期間、書込み期間および維持期間を有する。
【００４０】
初期化期間では、放電セルに初期化放電を発生し、続く書込み期間における書込み放電に必要な壁電荷を各電極上に形成する初期化動作を行う。本実施の形態では、初期化期間において「全セル初期化動作」と「選択初期化動作」との２つの初期化動作のうちのいずれかを行う。全セル初期化動作とは、直前のサブフィールドの動作にかかわらず画像表示領域内の全ての放電セルに初期化放電を発生する初期化動作のことである。また、選択初期化動作とは、直前のサブフィールドの維持期間に維持放電を発生した放電セルだけに初期化放電を発生する初期化動作のことである。
【００４１】
例えば、１フィールドの先頭サブフィールド（サブフィールドＳＦ１）の初期化期間においては、「全セル初期化動作」を行い、他のサブフィールドの初期化期間においては選択初期化動作を行う。この場合、１フィールドの先頭サブフィールド（サブフィールドＳＦ１）の初期化期間においては、全セル初期化動作を行うための全セル初期化波形を放電セルに印加し、その他のサブフィールドの初期化期間においては、選択初期化動作を行うための選択初期化波形を放電セルに印加する。これにより、階調表示に関係しない発光を極力減らし、パネル１０に表示する画像のコントラスト比を向上することが可能である。
【００４２】
以下、全セル初期化動作を行う初期化期間を「全セル初期化期間」と呼称し、全セル初期化期間を有するサブフィールドを「全セル初期化サブフィールド」と呼称する。また、選択初期化動作を行う初期化期間を「選択初期化期間」と呼称し、選択初期化期間を有するサブフィールドを「選択初期化サブフィールド」と呼称する。
【００４３】
書込み期間では、発光すべき放電セルに書込み放電を発生することで、サブフィールド毎に各放電セルの発光・非発光を制御する。
【００４４】
維持期間では、それぞれのサブフィールドの輝度重みに所定の輝度倍率を乗じた数の維持パルスを表示電極対２４のそれぞれに印加する。そして、サブフィールド毎に各放電セルの発光・非発光を制御することによってパネル１０に画像を表示する。
【００４５】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。したがって、画像信号に応じた組み合わせで各サブフィールドを選択的に発光することによってパネル１０に様々な階調を表示し、パネル１０に画像を表示することができる。
【００４６】
なお、本実施の形態では、１フィールドをサブフィールドＳＦ１からサブフィールドＳＦ８までの８つのサブフィールドで構成し、サブフィールドＳＦ１からサブフィールドＳＦ８までの各サブフィールドにはそれぞれ（１、２、４、８、１６、３２、６４、１２８）の輝度重みを設定する例を説明する。
【００４７】
そして、本実施の形態では、サブフィールドＳＦ１を全セル初期化サブフィールドとし、サブフィールドＳＦ２からサブフィールドＳＦ８を選択初期化サブフィールドとする。これにより、画像の表示に関係のない発光はサブフィールドＳＦ１における全セル初期化動作の放電にともなう発光のみとなり、維持放電を発生しない黒表示領域の輝度である黒輝度は全セル初期化動作における微弱発光だけとなって、コントラストの高い画像をパネル１０に表示することが可能となる。
【００４８】
しかし、本実施の形態は、サブフィールド数や各サブフィールドの輝度重みが上記の値に限定されるものではない。また、画像信号等にもとづいてサブフィールドの構成を切り換える構成であってもよい。
【００４９】
なお、本実施の形態では、維持期間の最後に、上昇する傾斜波形電圧を２つ連続して発生している。これにより、続くサブフィールドの初期化期間における初期化動作および書込み期間における書込み動作の安定化を図っている。以下、まず駆動電圧波形の概要について説明し、続いて駆動回路の構成について説明する。
【００５０】
図３は、本発明の一実施の形態におけるプラズマディスプレイ装置に用いるパネル１０の各電極に印加する駆動電圧波形の一例を示す波形図である。図３には、書込み期間において最初に書込み動作を行う走査電極ＳＣ１、書込み期間において最後に書込み動作を行う走査電極ＳＣｎ（例えば、走査電極ＳＣ１０８０）、維持電極ＳＵ１〜維持電極ＳＵｎ、およびデータ電極Ｄ１〜データ電極Ｄｍのそれぞれに印加する駆動電圧波形を示す。
【００５１】
なお、図３では、初期化期間において全セル初期化動作を行う「サブフィールドＳＦ１」と、初期化期間において選択初期化動作を行う「サブフィールドＳＦ２」との２つサブフィールドを例に挙げて、パネル１０に印加する駆動電圧の波形を説明する。
【００５２】
なお、サブフィールドＳＦ３からサブフィールドＳＦ８までは図示していないが、本実施の形態において、サブフィールドＳＦ１を除く各サブフィールドは選択初期化サブフィールドであり、維持パルスの発生数を除き、各期間でほぼ同様の駆動電圧波形を発生する。したがって、サブフィールドＳＦ１と、サブフィールドＳＦ２からサブフィールドＳＦ８までとでは、初期化期間に走査電極２２に印加する駆動電圧の波形形状が異なる。
【００５３】
また、以下における走査電極ＳＣｉ、維持電極ＳＵｉ、データ電極Ｄｋは、各電極の中からサブフィールドデータ（サブフィールド毎の発光・非発光を示すデータ）にもとづき選択された電極を表す。
【００５４】
まず、全セル初期化サブフィールドであるサブフィールドＳＦ１について説明する。
【００５５】
サブフィールドＳＦ１の初期化期間前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧０（Ｖ）を印加した後、電圧Ｖｉ１を印加し、さらに電圧Ｖｉ１から電圧Ｖｉ２に向かって緩やかに（例えば、約１．３Ｖ／μｓｅｃの勾配で）上昇する傾斜波形電圧（以下、「上りランプ電圧Ｌ１」と呼称する）を印加する。このとき、電圧Ｖｉ１は、維持電極ＳＵ１〜維持電極ＳＵｎに対して放電開始電圧未満の電圧に設定し、電圧Ｖｉ２は維持電極ＳＵ１〜維持電極ＳＵｎに対して放電開始電圧を超える電圧に設定する。
【００５６】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎ）とデータ電極Ｄ１〜データ電極Ｄｍとの間に、それぞれ微弱な初期化放電が持続して発生する。そして、走査電極ＳＣ１〜走査電極ＳＣｎ上に負極性の壁電圧が蓄積され、維持電極ＳＵ１〜維持電極ＳＵｎ上および走査電極ＳＣ１〜走査電極ＳＣｎと交差するデータ電極Ｄ１〜データ電極Ｄｍ上には正極性の壁電圧が蓄積される。この電極上の壁電圧とは、電極を覆う誘電体層２５上、保護層２６上、蛍光体層３５上等に蓄積された壁電荷により生じる電圧を表す。
【００５７】
サブフィールドＳＦ１の初期化期間後半部では、走査電極ＳＣ１〜走査電極ＳＣｎに印加する電圧を、電圧Ｖｉ２から電圧Ｖｉ２よりも低い電圧である電圧Ｖｉ３に下げる。また、維持電極ＳＵ１〜維持電極ＳＵｎには正極性の電圧Ｖｅ１を印加し、データ電極Ｄ１〜データ電極Ｄｍには電圧０（Ｖ）を印加する。そして、走査電極ＳＣ１〜走査電極ＳＣｎに、電圧Ｖｉ３から負極性の電圧Ｖｉ４に向かって緩やかに（例えば、約−２．５Ｖ／μｓｅｃの勾配で）下降する傾斜波形電圧（以下、「下りランプ電圧Ｌ２」と呼称する）を印加する。このとき、電圧Ｖｉ３は、維持電極ＳＵ１〜維持電極ＳＵｎに対して放電開始電圧未満の電圧に設定し、電圧Ｖｉ４は、維持電極ＳＵ１〜維持電極ＳＵｎに対して放電開始電圧を超える電圧に設定する。
【００５８】
この下りランプ電圧Ｌ２を走査電極ＳＣ１〜走査電極ＳＣｎに印加する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負極性の壁電圧および維持電極ＳＵ１〜維持電極ＳＵｎ上の正極性の壁電圧が弱められ、走査電極ＳＣ１〜走査電極ＳＣｎと交差するデータ電極Ｄ１〜データ電極Ｄｍ上の正極性の壁電圧は書込み期間での書込み動作に適した値に調整される。
【００５９】
以上の電圧波形が、直前のサブフィールドの動作にかかわらず放電セルに初期化放電を発生する全セル初期化波形である。そして、全セル初期化波形を走査電極２２に印加する動作が全セル初期化動作である。
【００６０】
以上により、全セル初期化サブフィールドであるサブフィールドＳＦ１における全セル初期化動作が終了する。
【００６１】
続く書込み期間では、走査電極ＳＣ１〜走査電極ＳＣｎには順次走査パルスを印加し、データ電極Ｄ１〜データ電極Ｄｍには発光するべき放電セルに対応するデータ電極Ｄｋに書込みパルスを印加する。こうして、発光するべき放電セルだけに選択的に書込み放電を発生し、続く維持期間で維持放電を発生するために必要な壁電荷を放電セル内に形成する。以下、これらの動作を「書込み動作」とも記す。
【００６２】
サブフィールドＳＦ１の書込み期間では、維持電極ＳＵ１〜維持電極ＳＵｎには電圧Ｖｅ２を印加し、走査電極ＳＣ１〜走査電極ＳＣｎには電圧Ｖｃｃ（例えば、Ｖｃｃ＝Ｖａ＋Ｖｓｃ）を印加する。
【００６３】
次に、配置的に見て上から１番目（１行目）の走査電極ＳＣ１に負極性の電圧Ｖａの走査パルスを印加するとともに、データ電極Ｄ１〜データ電極Ｄｍのうちの１行目において発光するべき放電セルのデータ電極Ｄｋに正極性の電圧Ｖｄの書込みパルスを印加する。
【００６４】
電圧Ｖｄの書込みパルスを印加した放電セルのデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【００６５】
また、維持電極ＳＵ１〜維持電極ＳＵｎに電圧Ｖｅ２を印加しているため、維持電極ＳＵ１と走査電極ＳＣ１との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態にすることができる。
【００６６】
これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生することができる。こうして、発光するべき放電セルに書込み放電が発生し、走査電極ＳＣ１上に正極性の壁電圧が蓄積され、維持電極ＳＵ１上に負極性の壁電圧が蓄積され、データ電極Ｄｋ上にも負極性の壁電圧が蓄積される。
【００６７】
このようにして、１行目において発光するべき放電セルで書込み放電を発生して各電極上に壁電圧を蓄積する書込み動作を行う。一方、書込みパルスを印加しなかったデータ電極３２と走査電極ＳＣ１との交差部の電圧は放電開始電圧を超えないので、書込み放電は発生しない。
【００６８】
以上の書込み動作を、走査電極ＳＣ２、走査電極ＳＣ３、・・・、走査電極ＳＣｎという順番で、ｎ行目の放電セルに至るまで順次行い、サブフィールドＳＦ１の書込み期間が終了する。このようにして、書込み期間では、発光するべき放電セルに選択的に書込み放電を発生し、その放電セルに壁電荷を形成する。
【００６９】
続く維持期間では、それぞれのサブフィールドの輝度重みに所定の比例定数を乗じた数の維持パルスを走査電極２２および維持電極２３に交互に印加して、直前の書込み期間に書込み放電を発生した放電セルで維持放電を発生し、その放電セルを発光する維持動作を行う。
【００７０】
この比例定数が輝度倍率である。例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００７１】
サブフィールドＳＦ１の維持期間では、維持電極ＳＵ１〜維持電極ＳＵｎにベース電位となる電圧０（Ｖ）を印加するとともに走査電極ＳＣ１〜走査電極ＳＣｎに正極性の電圧Ｖｓの維持パルスを印加する。書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【００７２】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負極性の壁電圧が蓄積され、維持電極ＳＵｉ上に正極性の壁電圧が蓄積される。さらに、データ電極Ｄｋ上にも正極性の壁電圧が蓄積される。書込み期間において書込み放電が発生しなかった放電セルでは維持放電は発生せず、初期化期間の終了時における壁電圧が保たれる。
【００７３】
続いて、走査電極ＳＣ１〜走査電極ＳＣｎには電圧０（Ｖ）を印加し、維持電極ＳＵ１〜維持電極ＳＵｎには電圧Ｖｓの維持パルスを印加する。維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負極性の壁電圧が蓄積され、走査電極ＳＣｉ上に正極性の壁電圧が蓄積される。
【００７４】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうして表示電極対２４の電極間に電位差を与えることにより、書込み期間において書込み放電を発生した放電セルで維持放電が継続して発生する。
【００７５】
そして、維持期間における維持パルスの発生後（維持期間の最後）に、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎには、ベース電位である電圧０（Ｖ）から第１の電位である電圧Ｖｅｒｓまで緩やかに（例えば、約１０Ｖ／μｓｅｃの勾配で）上昇する第１の傾斜波形電圧（以下、「消去ランプ電圧Ｌ３」と呼称する）を印加する。
【００７６】
電圧Ｖｅｒｓを放電開始電圧を超える電圧値に設定することで、走査電極ＳＣ１〜走査電極ＳＣｎへ印加する消去ランプ電圧Ｌ３が放電開始電圧を超えて上昇する間に、維持放電を発生した放電セルの維持電極ＳＵｉと走査電極ＳＣｉとの間に、微弱な放電が持続して発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。
【００７７】
これにより、データ電極Ｄｋ上の正極性の壁電圧を残したまま、走査電極ＳＣｉ上の壁電圧および維持電極ＳＵｉ上の壁電圧は、走査電極ＳＣｉに印加した電圧と放電開始電圧の差、例えば（電圧Ｖｅｒｓ−放電開始電圧）の程度まで弱められる。以下、この放電を「消去放電」と記す。消去放電は、放電セル内における不要な壁電荷の一部を消去する放電である。
【００７８】
走査電極ＳＣ１〜走査電極ＳＣｎに印加する電圧が電圧Ｖｅｒｓに到達したら、走査電極ＳＣ１〜走査電極ＳＣｎへの印加電圧を電圧０（Ｖ）まで下降する。
【００７９】
走査電極ＳＣ１〜走査電極ＳＣｎには、電圧０（Ｖ）を印加した後、第２の電位である電圧Ｖｓｃを印加する。このとき、電圧Ｖｓｃは、電圧Ｖｅｒｓ以下の電圧値に設定する。これにより、走査電極ＳＣ１〜走査電極ＳＣｎに電圧Ｖｓｃを印加しても、放電セルに放電は発生しない。
【００８０】
そして、維持電極ＳＵ１〜維持電極ＳＵｎおよびデータ電極Ｄ１〜データ電極Ｄｍには電圧０（Ｖ）を印加したまま、走査電極ＳＣ１〜走査電極ＳＣｎには、第２の電位である電圧Ｖｓｃから第３の電位である電圧Ｖｒ２まで、消去ランプ電圧Ｌ３と同じ勾配で（例えば、約１０Ｖ／μｓｅｃの勾配で）上昇する第２の傾斜波形電圧（以下、「消去ランプ電圧Ｌ５」と呼称する）を印加する。
【００８１】
電圧Ｖｒ２は電圧Ｖｅｒｓよりも高い電圧値に設定する。したがって、走査電極ＳＣ１〜走査電極ＳＣｎへ印加する消去ランプ電圧Ｌ５が電圧Ｖｅｒｓを超えて上昇する間に、消去ランプ電圧Ｌ３によって消去放電を発生した放電セルに、再度、微弱な消去放電が持続して発生する。
【００８２】
本実施の形態では、維持放電を発生した放電セルに、消去ランプ電圧Ｌ３による消去放電と消去ランプ電圧Ｌ５による消去放電との２回の消去放電を発生する。したがって、消去ランプ電圧Ｌ３だけで消去放電を発生する構成と比較して、放電セル内の壁電荷をより安定に消去できる。これにより、高精細化によって微細化された放電セルを有するパネル１０においても、消去動作以降の初期化動作および書込み動作を安定に行うことが可能となる。
【００８３】
走査電極ＳＣ１〜走査電極ＳＣｎに印加する電圧が電圧Ｖｒ２に到達したら、走査電極ＳＣ１〜走査電極ＳＣｎへの印加電圧を電圧０（Ｖ）まで下降する。こうして、サブフィールドＳＦ１の維持期間における維持動作が終了する。
【００８４】
以上により、サブフィールドＳＦ１の駆動動作が終了する。
【００８５】
次に、選択初期化サブフィールドについてサブフィールドＳＦ２を例に挙げて説明する。
【００８６】
サブフィールドＳＦ２の初期化期間では、選択初期化波形を全ての走査電極２２に印加する。この選択初期化波形は、全セル初期化波形の前半部を省略した駆動電圧波形である。具体的には、維持電極ＳＵ１〜維持電極ＳＵｎには電圧Ｖｅ１を印加し、データ電極Ｄ１〜データ電極Ｄｍには電圧０（Ｖ）を印加する。走査電極ＳＣ１〜走査電極ＳＣｎには放電開始電圧未満となる電圧（例えば、電圧０（Ｖ））から放電開始電圧を超える負極性の電圧Ｖｉ４に向かって、下りランプ電圧Ｌ２と同じ勾配で下降する下りランプ電圧Ｌ４を印加する。
【００８７】
これにより、直前のサブフィールド（図３では、サブフィールドＳＦ１）の維持期間に維持放電を発生した放電セルでは微弱な初期化放電が発生する。そして、走査電極ＳＣｉ上および維持電極ＳＵｉ上の壁電圧が弱められる。また、データ電極Ｄｋ上には、直前の維持期間に発生した維持放電によって十分な正極性の壁電圧が蓄積されているので、この壁電圧の過剰な部分が放電され、データ電極Ｄｋ上の壁電圧は書込み動作に適した壁電圧に調整される。
【００８８】
一方、直前のサブフィールド（図３では、サブフィールドＳＦ１）の維持期間に維持放電を発生しなかった放電セルでは、初期化放電は発生せず、直前のサブフィールドの初期化期間終了時における壁電荷がそのまま保たれる。
【００８９】
以上の波形が、直前のサブフィールドの維持期間に維持放電を発生した放電セルだけに初期化放電を発生する選択初期化波形である。そして、選択初期化波形を走査電極２２に印加する動作が選択初期化動作である。
【００９０】
以上により、選択初期化サブフィールドの初期化期間における選択初期化動作が終了する。
【００９１】
サブフィールドＳＦ２の書込み期間では、サブフィールドＳＦ１の書込み期間と同様の駆動電圧波形を各電極に印加し、発光するべき放電セルの各電極上に壁電圧を蓄積する書込み動作を行う。
【００９２】
サブフィールドＳＦ２の維持期間も、サブフィールドＳＦ１の維持期間と同様に、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。
【００９３】
サブフィールドＳＦ３以降の各サブフィールドの初期化期間および書込み期間では、各電極に対してサブフィールドＳＦ２の初期化期間および書込み期間と同様の駆動電圧波形を印加する。また、サブフィールドＳＦ３以降の各サブフィールドの維持期間では、維持パルスの発生数を除き、サブフィールドＳＦ２と同様の駆動電圧波形を各電極に印加する。
【００９４】
以上が、本実施の形態においてパネル１０の各電極に印加する駆動電圧波形の概要である。
【００９５】
なお、本実施の形態において各電極に印加する電圧値は、例えば、電圧Ｖｉ１＝１４５（Ｖ）、電圧Ｖｉ２＝３６０（Ｖ）、電圧Ｖｉ３＝１９０（Ｖ）、電圧Ｖｉ４＝−１６０（Ｖ）、電圧Ｖｅ１＝１２５（Ｖ）、電圧Ｖｅ２＝１３０（Ｖ）、電圧Ｖｅｒｓ＝１９０（Ｖ）、電圧Ｖｓｃ＝１４５（Ｖ）、電圧Ｖｓ＝１９０（Ｖ）、電圧Ｖａ＝−１８０（Ｖ）、電圧Ｖｄ＝６０（Ｖ）、電圧Ｖｒ２＝２５５（Ｖ）である。また、電圧Ｖｃｃは負極性の電圧Ｖａ＝−１８０（Ｖ）に正極性の電圧Ｖｓｃ＝１４５（Ｖ）を重畳する（Ｖｃｃ＝Ｖａ＋Ｖｓｃ）ことで発生することができ、その場合、電圧Ｖｃｃ＝−３５（Ｖ）となる。
【００９６】
ただし、上述した電圧値や勾配の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【００９７】
次に、本実施の形態におけるプラズマディスプレイ装置の構成について説明する。
【００９８】
図４は、本発明の一実施の形態におけるプラズマディスプレイ装置１の回路ブロック図である。プラズマディスプレイ装置１は、パネル１０と駆動回路とを備えている。
【００９９】
駆動回路は、画像信号処理回路４１、データ電極駆動回路４２、走査電極駆動回路４３、維持電極駆動回路４４、制御信号発生回路４５、および各回路ブロックに必要な電源を供給する電源回路（図示せず）を備えている。
【０１００】
画像信号処理回路４１は、パネル１０の画素数および入力された画像信号ｓｉｇにもとづき、各放電セルに階調値を割り当てる。そして、その階調値を、サブフィールド毎の発光・非発光を示すサブフィールドデータ（発光・非発光をデジタル信号の「１」、「０」に対応させたデータのこと）に変換する。すなわち、画像信号処理回路４１は、１フィールド毎の画像信号をサブフィールド毎の発光・非発光を示すサブフィールドデータに変換する。
【０１０１】
例えば、入力された画像信号がＲ信号、Ｇ信号、Ｂ信号を含むときには、そのＲ信号、Ｇ信号、Ｂ信号にもとづき、各放電セルにＲ、Ｇ、Ｂの各階調値を割り当てる。あるいは、入力された画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづきＲ信号、Ｇ信号、Ｂ信号を算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示すサブフィールドデータに変換する。
【０１０２】
制御信号発生回路４５は、水平同期信号Ｈおよび垂直同期信号Ｖにもとづき、各回路ブロックの動作を制御する各種の制御信号を発生する。そして、発生した制御信号を、それぞれの回路ブロック（画像信号処理回路４１、データ電極駆動回路４２、走査電極駆動回路４３、維持電極駆動回路４４等）へ供給する。
【０１０３】
データ電極駆動回路４２は、サブフィールド毎のサブフィールドデータを、各データ電極Ｄ１〜データ電極Ｄｍに対応する信号に変換する。そして、その信号、および制御信号発生回路４５から供給される制御信号にもとづき、各データ電極Ｄ１〜データ電極Ｄｍを駆動する。書込み期間では書込みパルスを発生し、各データ電極Ｄ１〜データ電極Ｄｍに印加する。
【０１０４】
走査電極駆動回路４３は、初期化波形発生回路、維持パルス発生回路、走査パルス発生回路（図４には示さず）を備える。そして、制御信号発生回路４５から供給される制御信号にもとづいて駆動電圧波形を作成し、走査電極ＳＣ１〜走査電極ＳＣｎのそれぞれに印加する。
【０１０５】
初期化波形発生回路は、初期化期間に、走査電極ＳＣ１〜走査電極ＳＣｎに印加する初期化波形を制御信号にもとづいて発生する。
【０１０６】
維持パルス発生回路は、維持期間に、走査電極ＳＣ１〜走査電極ＳＣｎに印加する維持パルスを制御信号にもとづいて発生する。
【０１０７】
走査パルス発生回路は、複数の走査電極駆動ＩＣ（以下、「走査ＩＣ」と略記する）を備え、書込み期間に、走査電極ＳＣ１〜走査電極ＳＣｎに印加する走査パルスを制御信号にもとづいて発生する。
【０１０８】
維持電極駆動回路４４は、維持パルス発生回路および電圧Ｖｅ１、電圧Ｖｅ２を発生する回路を備え（図４には示さず）、制御信号発生回路４５から供給される制御信号にもとづいて駆動電圧波形を作成し、維持電極ＳＵ１〜維持電極ＳＵｎのそれぞれに印加する。維持期間では、制御信号にもとづいて維持パルスを発生し、維持電極ＳＵ１〜維持電極ＳＵｎに印加する。
【０１０９】
次に、走査電極駆動回路４３の詳細とその動作について説明する。
【０１１０】
図５は、本発明の一実施の形態における走査電極駆動回路４３の一構成例を示す回路図である。
【０１１１】
走査電極駆動回路４３は、維持パルスを発生する維持パルス発生回路５０と、初期化波形を発生する初期化波形発生回路５１と、走査パルスを発生する走査パルス発生回路５２とを備える。そして、走査パルス発生回路５２の各出力端子は、パネル１０の走査電極ＳＣ１〜走査電極ＳＣｎのそれぞれに接続されている。
【０１１２】
なお、本実施の形態では、走査パルス発生回路５２に入力される電圧を「基準電位Ａ」と記す。また、以下の説明においてスイッチング素子を導通する動作を「オン」、遮断する動作を「オフ」と表記し、スイッチング素子をオンにする信号を「Ｈｉ」、オフにする信号を「Ｌｏ」と表記する。なお、図５では、各回路に入力される制御信号（制御信号発生回路４５から供給される制御信号）の信号経路の詳細は省略する。
【０１１３】
また、図５には、負極性の電圧Ｖａを用いた回路（例えば、ミラー積分回路５４）が動作しているときに、その回路と、維持パルス発生回路５０、電圧Ｖｒを用いた回路（例えば、ミラー積分回路５３）、および電圧Ｖｅｒｓを用いた回路（例えば、ミラー積分回路５５）とを電気的に分離するためのスイッチング素子Ｑ４を用いた分離回路を示す。また、電圧Ｖｒを用いた回路（例えば、ミラー積分回路５３）が動作しているときに、その回路と、電圧Ｖｒよりも低い電圧の電圧Ｖｅｒｓを用いた回路（例えば、ミラー積分回路５５）とを電気的に分離するためのスイッチング素子Ｑ６を用いた分離回路を示す。
【０１１４】
維持パルス発生回路５０は、一般に用いられている電力回収回路（図示せず）とクランプ回路（図示せず）とを備える。
【０１１５】
電力回収回路は、電力回収用のコンデンサや共振用のインダクタ等を有する。そして、パネル１０の電極間容量Ｃｐと共振用のインダクタとを共振させることで、電力回収用のコンデンサに蓄えられた電力を走査電極ＳＣ１〜走査電極ＳＣｎに供給し、あるいは、電極間容量Ｃｐに蓄えられた電力を電力回収用のコンデンサに回収する。
【０１１６】
クランプ回路は、走査電極ＳＣ１〜走査電極ＳＣｎを電圧Ｖｓにクランプし、あるいは、走査電極ＳＣ１〜走査電極ＳＣｎを電圧０（Ｖ）にクランプする。
【０１１７】
そして、維持パルス発生回路５０は、制御信号発生回路４５から出力される制御信号にもとづき、内部に備えた各スイッチング素子を切り換えることで電力回収回路とクランプ回路とを切り換えながら動作し、維持パルスを発生する。
【０１１８】
走査パルス発生回路５２は、ｎ本の走査電極ＳＣ１〜走査電極ＳＣｎのそれぞれに走査パルスを印加するためのスイッチング素子ＱＨ１〜スイッチング素子ＱＨｎおよびスイッチング素子ＱＬ１〜スイッチング素子ＱＬｎを備えている。スイッチング素子ＱＨｊ（ｊ＝１〜ｎ）の一方の端子とスイッチング素子ＱＬｊの一方の端子とは互いに接続されており、その接続箇所が走査パルス発生回路５２の出力端子となって、走査電極ＳＣｊに接続されている。また、スイッチング素子ＱＨｊの他方の端子は入力端子ＩＮｂであり、スイッチング素子ＱＬｊの他方の端子は入力端子ＩＮａである。
【０１１９】
なお、スイッチング素子ＱＨ１〜スイッチング素子ＱＨｎ、スイッチング素子ＱＬ１〜スイッチング素子ＱＬｎは複数の出力毎にまとめられ、ＩＣ化されている。このＩＣが走査ＩＣである。
【０１２０】
また、走査パルス発生回路５２は、書込み期間において基準電位Ａを負極性の電圧Ｖａに接続するためのスイッチング素子Ｑ５と、電圧Ｖｓｃを発生し基準電位Ａに電圧Ｖｓｃを重畳する電源ＶＳＣと、基準電位Ａに電圧Ｖｓｃを重畳して発生した電圧Ｖｃを入力端子ＩＮｂに印加するためのダイオードＤｉ３１およびコンデンサＣ３１とを備えている。そして、スイッチング素子ＱＨ１〜スイッチング素子ＱＨｎの入力端子ＩＮｂには電圧Ｖｃを入力し、スイッチング素子ＱＬ１〜スイッチング素子ＱＬｎの入力端子ＩＮａには基準電位Ａを入力する。
【０１２１】
このように構成された走査パルス発生回路５２では、書込み期間においては、スイッチング素子Ｑ５をオンにして基準電位Ａを負極性の電圧Ｖａに等しくし、入力端子ＩＮａには負極性の電圧Ｖａを印加し、入力端子ＩＮｂには電圧Ｖａ＋電圧Ｖｓｃとなった電圧Ｖｃｃを印加する。
【０１２２】
そして、サブフィールドデータにもとづき、走査パルスを印加する走査電極ＳＣｉに対しては、スイッチング素子ＱＨｉをオフ、スイッチング素子ＱＬｉをオンにすることで、スイッチング素子ＱＬｉを経由して走査電極ＳＣｉに負極性の電圧Ｖａの走査パルスを印加する。
【０１２３】
走査パルスを印加しない走査電極ＳＣｈ（ｈは、１〜ｎのうちｉを除いたもの）に対しては、スイッチング素子ＱＬｈをオフ、スイッチング素子ＱＨｈをオンにすることで、スイッチング素子ＱＨｈを経由して走査電極ＳＣｈに電圧Ｖａ＋電圧Ｖｓｃ（＝電圧Ｖｃｃ）を印加する。
【０１２４】
なお、走査パルス発生回路５２は、初期化期間では初期化波形発生回路５１の電圧波形を出力し、維持期間では維持パルス発生回路５０の電圧波形を出力するように、制御信号発生回路４５によって制御される。
【０１２５】
初期化波形発生回路５１は、ミラー積分回路５３と、ミラー積分回路５４と、ミラー積分回路５５とを有する。図５には、ミラー積分回路５３の入力端子を入力端子ＩＮ１、ミラー積分回路５４の入力端子を入力端子ＩＮ２、ミラー積分回路５５の入力端子を入力端子ＩＮ３と示している。なお、ミラー積分回路５３およびミラー積分回路５５は上昇する傾斜波形電圧を発生する傾斜電圧発生回路であり、ミラー積分回路５４は下降する傾斜波形電圧を発生する傾斜電圧発生回路である。
【０１２６】
ミラー積分回路５３は、スイッチング素子Ｑ１とコンデンサＣ１と抵抗Ｒ１とを有し、全セル初期化動作時に、走査電極駆動回路４３の基準電位Ａを電圧Ｖｒまでランプ状に緩やかに（例えば、１．３Ｖ／μｓｅｃで）上昇する。なお、全セル初期化動作時には、スイッチング素子ＱＨ１〜スイッチング素子ＱＨｎをオンにし、スイッチング素子ＱＬ１〜スイッチング素子ＱＬｎをオフにする。したがって、基準電位Ａは電圧０（Ｖ）から電圧Ｖｒまでランプ上に上昇し、走査電極ＳＣ１〜走査電極ＳＣｎには、基準電位Ａに電圧Ｖｓｃを重畳した電圧が印加される。こうして、全セル初期化動作時には、電圧Ｖｓｃ（本実施の形態では、電圧Ｖｉ１＝電圧Ｖｓｃ）から電圧Ｖｓｃ＋電圧Ｖｒ（本実施の形態では、電圧Ｖｉ２＝電圧Ｖｓｃ＋電圧Ｖｒ）まで上昇する上りランプ電圧Ｌ１を発生し、走査電極ＳＣ１〜走査電極ＳＣｎに印加する。
【０１２７】
ミラー積分回路５５は、スイッチング素子Ｑ３とコンデンサＣ３と抵抗Ｒ３とを有し、維持期間の最後に、基準電位Ａを上りランプ電圧Ｌ１よりも急峻な勾配（例えば、１０Ｖ／μｓｅｃ）で電圧０（Ｖ）から電圧Ｖｅｒｓまで上昇して消去ランプ電圧Ｌ３を発生し、走査電極ＳＣ１〜走査電極ＳＣｎに印加する。また、ミラー積分回路５５は、消去ランプ電圧Ｌ５を発生する。本実施の形態では、消去ランプ電圧Ｌ５を発生する期間、スイッチング素子ＱＨ１〜スイッチング素子ＱＨｎをオンにし、スイッチング素子ＱＬ１〜スイッチング素子ＱＬｎをオフにする。したがって、その期間、走査電極ＳＣ１〜走査電極ＳＣｎには、ミラー積分回路５５によってランプ状に上昇する傾斜波形電圧に電圧Ｖｓｃを重畳した電圧が印加される。こうして、走査電極駆動回路４３は消去ランプ電圧Ｌ５を発生し、走査電極ＳＣ１〜走査電極ＳＣｎに印加する。
【０１２８】
ミラー積分回路５４は、スイッチング素子Ｑ２とコンデンサＣ２と抵抗Ｒ２とを有し、初期化動作時に、基準電位Ａを電圧０（Ｖ）から電圧Ｖｉ４までランプ状に緩やかに（例えば、−２．５Ｖ／μｓｅｃの勾配で）下降して下りランプ電圧Ｌ２、下りランプ電圧Ｌ４を発生し、走査電極ＳＣ１〜走査電極ＳＣｎに印加する。
【０１２９】
次に、維持期間の最後の期間において消去ランプ電圧Ｌ３および消去ランプ電圧Ｌ５を発生し、選択初期化期間において下りランプ電圧Ｌ４を発生する動作を、図６を用いて説明する。
【０１３０】
図６は、本発明の一実施の形態における維持期間の最後の期間および選択初期化期間の走査電極駆動回路４３の動作の一例を説明するためのタイミングチャートである。
【０１３１】
図６では、維持期間の最後の期間を期間Ｔ１〜期間Ｔ６で示す６つの期間に分割し、選択初期化期間を期間Ｔ７として示し、それぞれの期間について説明する。また、以下、電圧Ｖｅｒｓは電圧Ｖｓに等しく、電圧Ｖｓｃは電圧Ｖｅｒｓよりも低く、電圧Ｖｒ２は電圧Ｖｅｒｓよりも高く、電圧Ｖｉ４は負極性の電圧Ｖａに等しいものとして説明する。また、図面にはスイッチング素子をオンする信号を「Ｈｉ」、オフする信号を「Ｌｏ」と表記する。
【０１３２】
なお、図６には、電圧Ｖｓｃを電圧Ｖｅｒｓよりも低い電圧値に設定し、電圧Ｖｒ２を電圧Ｖｅｒｓよりも高い電圧値に設定した例を示しているが、本実施の形態においては、電圧Ｖｓｃ≦電圧Ｖｅｒｓ＜電圧Ｖｒ２となるように各電圧値を設定する。すなわち、第２の電位は第１の電位以下の電位に設定し、第３の電位は第１の電位よりも高い電位に設定する。
【０１３３】
以下、維持期間の最後の期間における消去ランプ電圧Ｌ３、消去ランプ電圧Ｌ５、次に、選択初期化期間における下りランプ電圧Ｌ４の順で説明する。なお、期間Ｔ１に入る前に維持パルスの発生は終了している。
【０１３４】
まず、期間Ｔ１に入る前に、維持パルス発生回路５０のクランプ回路により、基準電位Ａを電圧０（Ｖ）にする。そして、スイッチング素子ＱＨ１〜スイッチング素子ＱＨｎをオフにし、スイッチング素子ＱＬ１〜スイッチング素子ＱＬｎをオンにして、走査電極ＳＣ１〜走査電極ＳＣｎに基準電位Ａ、すなわち電圧０（Ｖ）を印加する。
【０１３５】
（期間Ｔ１）
期間Ｔ１では、スイッチング素子ＱＨ１〜スイッチング素子ＱＨｎをオフにし、スイッチング素子ＱＬ１〜スイッチング素子ＱＬｎをオンにした状態を維持する。
【０１３６】
そして、図示はしていないが、スイッチング素子Ｑ６をオンにし、ミラー積分回路５５を基準電位Ａに電気的に接続する。また、維持パルス発生回路５０の各スイッチング素子をオフにし、維持パルス発生回路５０をミラー積分回路５５と電気的に分離した状態にする。
【０１３７】
次に、ミラー積分回路５５の入力端子ＩＮ３を「Ｈｉ」にする。具体的には、入力端子ＩＮ３に所定の定電流を入力する。これにより、コンデンサＣ３に向かって一定の電流が流れ、スイッチング素子Ｑ３のソース電圧がランプ状に上昇し始める。これにより、基準電位Ａは電圧０（Ｖ）からランプ状に上昇し、走査電極駆動回路４３の出力電圧はランプ状に上昇する。この電圧上昇は、入力端子ＩＮ３を「Ｈｉ」にしている期間、もしくは、基準電位Ａが電圧Ｖｅｒｓに到達するまで継続する。
【０１３８】
このとき、傾斜波形電圧の勾配が所望の値（例えば、１０Ｖ／μｓｅｃ）になるように、入力端子ＩＮ３に入力する定電流を発生する。こうして、電圧０（Ｖ）から電圧Ｖｅｒｓに向かって上昇する消去ランプ電圧Ｌ３を発生し、走査電極ＳＣ１〜走査電極ＳＣｎに印加する。
【０１３９】
電圧Ｖｅｒｓを放電開始電圧を超える電圧値に設定することで、走査電極ＳＣ１〜走査電極ＳＣｎへ印加する消去ランプ電圧Ｌ３が上昇する間に、維持放電を発生した放電セルの維持電極ＳＵｉと走査電極ＳＣｉとの間の電圧差は放電開始電圧を超える。これにより、走査電極ＳＣｉと維持電極ＳＵｉとの間に微弱な消去放電が発生する。この消去放電は、消去ランプ電圧Ｌ３が上昇する期間、継続して発生する。
【０１４０】
なお、本実施の形態において、消去ランプ電圧Ｌ３によって発生する放電は、１回目の消去放電である。
【０１４１】
なお、図６には示していないが、このときデータ電極Ｄ１〜データ電極Ｄｍは０（Ｖ）に保持されているので、消去放電を発生した放電セルに対応するデータ電極Ｄｋ上には正の壁電圧が形成される。
【０１４２】
なお、放電開始電圧が比較的低い放電セルでは、期間Ｔ１の比較的早い時期に放電が開始し、放電開始電圧が比較的高い放電セルでは、期間Ｔ１の比較的遅い時期に放電が開始する。したがって、期間Ｔ１、電圧Ｖｅｒｓ、消去ランプ電圧Ｌ３の勾配等は、そのような放電開始電圧のばらつきを考慮し、放電開始電圧が比較的高い放電セルにおいても消去放電が発生する数値に設定する。
【０１４３】
なお、電圧Ｖｅｒｓは電圧Ｖｓ以上の電圧であってもよく、あるいは電圧Ｖｓ以下の電圧であってもよい。
【０１４４】
（期間Ｔ２）
消去ランプ電圧Ｌ３が電圧Ｖｅｒｓに到達した後は、入力端子ＩＮ３を「Ｌｏ」にする。具体的には、入力端子ＩＮ３への定電流入力を停止する。こうして、ミラー積分回路５５の動作を停止する。
【０１４５】
期間Ｔ２では、スイッチング素子ＱＨ１〜スイッチング素子ＱＨｎ、スイッチング素子ＱＬ１〜スイッチング素子ＱＬｎは、期間Ｔ１と同じ状態を維持する。そして、図示はしていないが、維持パルス発生回路５０のクランプ回路により、基準電位Ａを電圧０（Ｖ）にする。これにより、走査電極ＳＣ１〜走査電極ＳＣｎの電圧はベース電位である電圧０（Ｖ）まで低下する。
【０１４６】
こうして、期間Ｔ１で消去ランプ電圧Ｌ３により発生した消去放電は、一旦停止する。
【０１４７】
（期間Ｔ３）
期間Ｔ３では、維持パルス発生回路５０のクランプ回路によって基準電位Ａを電圧０（Ｖ）に維持したまま、スイッチング素子ＱＨ１〜スイッチング素子ＱＨｎをオンにし、スイッチング素子ＱＬ１〜スイッチング素子ＱＬｎをオフにする。これにより、基準電位Ａに電圧Ｖｓｃを重畳した電圧を、走査電極ＳＣ１〜走査電極ＳＣｎに印加する。このとき基準電位Ａは電圧０（Ｖ）であるので、走査電極ＳＣ１〜走査電極ＳＣｎには電圧Ｖｓｃが印加される。
【０１４８】
本実施の形態において、電圧Ｖｓｃは電圧Ｖｅｒｓ以下の電圧値に設定している。したがって、消去ランプ電圧Ｌ３により消去放電を発生した放電セルにおいても、期間Ｔ３で放電が発生することはない。
【０１４９】
（期間Ｔ４）
期間Ｔ４では、スイッチング素子ＱＨ１〜スイッチング素子ＱＨｎをオンにし、スイッチング素子ＱＬ１〜スイッチング素子ＱＬｎをオフにした状態を維持する。
【０１５０】
そして、図示はしていないが、スイッチング素子Ｑ６をオンにし、ミラー積分回路５５を基準電位Ａに電気的に接続する。また、維持パルス発生回路５０の各スイッチング素子をオフにし、維持パルス発生回路５０をミラー積分回路５５と電気的に分離した状態にする。
【０１５１】
次に、ミラー積分回路５５の入力端子ＩＮ３を「Ｈｉ」にする。具体的には、入力端子ＩＮ３に所定の定電流を入力する。これにより、コンデンサＣ３に向かって一定の電流が流れ、スイッチング素子Ｑ３のソース電圧がランプ状に上昇し、基準電位Ａは電圧０（Ｖ）からランプ状に上昇し始める。このとき、傾斜波形電圧の勾配が所望の値（例えば、１０Ｖ／μｓｅｃ）になるように、入力端子ＩＮ３に入力する定電流を発生する。この電圧上昇は、期間Ｔ１における説明と同様に、入力端子ＩＮ３を「Ｈｉ」にしている期間、もしくは、基準電位Ａが電圧Ｖｅｒｓに到達するまで継続する。
【０１５２】
期間Ｔ４では、走査電極駆動回路４３の出力電圧は、基準電位Ａに電圧Ｖｓｃを重畳した電圧である。したがって、走査電極駆動回路４３からは、電圧Ｖｓｃから、例えば消去ランプ電圧Ｌ３と同じ勾配で上昇する傾斜波形電圧が出力される。
【０１５３】
こうして、走査電極駆動回路４３は、期間Ｔ４において、電圧Ｖｓｃから電圧Ｖｒ２に向かって上昇する消去ランプ電圧Ｌ５を発生し、走査電極ＳＣ１〜走査電極ＳＣｎに印加する。
【０１５４】
電圧Ｖｒ２を電圧Ｖｅｒｓよりも高い電圧値に設定することで、走査電極ＳＣ１〜走査電極ＳＣｎへ印加する消去ランプ電圧Ｌ５が電圧Ｖｅｒｓを超えて上昇する間に、消去ランプ電圧Ｌ３によって消去放電を発生した放電セルでは、維持電極ＳＵｉと走査電極ＳＣｉとの間の電圧差が放電開始電圧を超える。これにより、消去ランプ電圧Ｌ３によって消去放電を発生した放電セルに、再度、微弱な消去放電が発生する。
【０１５５】
すなわち、本実施の形態において、消去ランプ電圧Ｌ５によって発生する放電は、２回目の消去放電である。
【０１５６】
ここで、本願発明者は、消去ランプ電圧Ｌ３によって発生した消去放電（１回目の消去放電）の放電発生量（放電の持続時間）が相対的に多い放電セルでは、２回目の消去放電を発生する際の放電開始電圧が相対的に高くなり、１回目の消去放電の放電発生量が相対的に少ない放電セルでは、２回目の消去放電を発生する際の放電開始電圧が相対的に低くなることを、実験により確認した。
【０１５７】
すなわち、２回目の消去放電の放電発生量は、１回目の消去放電の放電発生量によって変化し、１回目の消去放電の放電発生量が相対的に多い放電セルでは、１回目の消去放電の放電発生量が相対的に少ない放電セルよりも、２回目の消去放電を開始するタイミングが遅くなる。
【０１５８】
これは、１回目の消去放電の放電発生量が相対的に多い放電セルでは、１回目の消去放電の放電発生量が相対的に少ない放電セルよりも消去放電によって消去される壁電荷が多くなるため、その結果、２回目の消去放電を発生する際の放電開始電圧が相対的に高くなることが理由と考えられる。
【０１５９】
これにより、１回目の消去放電を発生する際の放電開始電圧が相対的に高い放電セルでは、１回目の消去放電の放電発生量が相対的に少なくなり、その結果、２回目の消去放電の放電発生量が相対的に多くなる。逆に、１回目の消去放電を発生する際の放電開始電圧が相対的に低い放電セルでは、１回目の消去放電の放電発生量が相対的に多くなり、その結果、２回目の消去放電の放電発生量が相対的に少なくなる。
【０１６０】
すなわち、１回目の消去放電の放電発生量と２回目の消去放電の放電発生量とを合わせた放電発生量は、１回目の消去放電を発生する際の放電開始電圧が相対的に高い放電セルと、１回目の消去放電を発生する際の放電開始電圧が相対的に低い放電セルとで、実質的に同等となる。
【０１６１】
したがって、本実施の形態では、各放電セルで、１回目の消去放電を発生する際の放電開始電圧に差があり、１回目の消去放電の放電発生量にばらつきが生じたとしても、２回目の消去放電を発生することで、１回目の消去放電に２回目の消去放電を加えたときの放電発生量を互いにほぼ同等にすることができる。
【０１６２】
放電セルにおける放電開始電圧は、それまでに表示された画像の図柄や、周辺の放電セルにおける放電の有無等により変動する。そして、高精細化により微細化された放電セルを有するパネル１０では、各放電セルにおける放電開始電圧が、これらの影響をより受けやすい。
【０１６３】
しかし、本実施の形態によれば、そのようなパネル１０であっても、消去放電の放電発生量を、各放電セルで、互いにほぼ同等にすることができ、消去動作を適正に行って壁電荷の調整を適正に行うことができるので、消去動作以降の初期化動作および書込み動作を安定に行うことが可能となる。
【０１６４】
（期間Ｔ５）
消去ランプ電圧Ｌ５が電圧Ｖｒ２に到達した後は、入力端子ＩＮ３を「Ｌｏ」にする。具体的には、入力端子ＩＮ３への定電流入力を停止する。こうして、ミラー積分回路５５の動作を停止する。
【０１６５】
なお、例えば電圧Ｖｒ２を２５５（Ｖ）にするときには、電圧Ｖｓｃが１４５（Ｖ）であれば、基準電位Ａが電圧１１０（Ｖ）に到達した時点で入力端子ＩＮ３を「Ｌｏ」にする。これにより、走査電極ＳＣ１〜走査電極ＳＣｎへの印加電圧は、電圧Ｖｓｃの１４５（Ｖ）に基準電位Ａの電圧１１０（Ｖ）が重畳された２５５（Ｖ）となった時点でそれまでの電圧上昇が停止し、消去ランプ電圧Ｌ５の電圧Ｖｒ２は２５５（Ｖ）となる。
【０１６６】
期間Ｔ５では、スイッチング素子ＱＨ１〜スイッチング素子ＱＨｎ、スイッチング素子ＱＬ１〜スイッチング素子ＱＬｎは、期間Ｔ４と同じ状態を維持する。そして、図示はしていないが、維持パルス発生回路５０のクランプ回路により、基準電位Ａを電圧０（Ｖ）にする。走査電極ＳＣ１〜走査電極ＳＣｎに印加される電圧は、基準電位Ａに電圧Ｖｓｃを重畳した電圧であるので、これにより、走査電極ＳＣ１〜走査電極ＳＣｎに印加される電圧は電圧Ｖｓｃまで低下する。
【０１６７】
（期間Ｔ６）
期間Ｔ６では、図示はしていないが、維持パルス発生回路５０のクランプ回路により、基準電位Ａは電圧０（Ｖ）に維持する。そして、スイッチング素子ＱＨ１〜スイッチング素子ＱＨｎをオフにし、スイッチング素子ＱＬ１〜スイッチング素子ＱＬｎをオンにする。これにより、走査電極ＳＣ１〜走査電極ＳＣｎの電圧はベース電位である電圧０（Ｖ）まで低下する。
【０１６８】
（期間Ｔ７）
選択初期化期間である期間Ｔ７では、スイッチング素子ＱＨ１〜スイッチング素子ＱＨｎ、スイッチング素子ＱＬ１〜スイッチング素子ＱＬｎは、期間Ｔ６と同じ状態を維持する。また、図示はしていないが、スイッチング素子Ｑ４をオフにして、ミラー積分回路５３、ミラー積分回路５５および維持パルス発生回路５０を基準電位Ａから電気的に分離する。
【０１６９】
次に、下りランプ電圧Ｌ４を発生するミラー積分回路５４の入力端子ＩＮ２を「Ｈｉ」にする。具体的には、入力端子ＩＮ２に所定の定電流を入力する。これにより、コンデンサＣ２に向かって一定の電流が流れ、スイッチング素子Ｑ２のドレイン電圧がランプ状に下降し始め、走査電極駆動回路４３の出力電圧も、負極性の電圧Ｖｉ４に向かってランプ状に下降し始める。この電圧下降は、入力端子ＩＮ２を「Ｈｉ」にしている期間、もしくは、基準電位Ａが電圧Ｖａに到達するまで継続する。
【０１７０】
このとき、傾斜波形電圧の勾配が所望の値（例えば、−２．５Ｖ／μｓｅｃ）になるように、入力端子ＩＮ２に入力する定電流を発生する。こうして、ベース電位である電圧０（Ｖ）から負極性の電圧Ｖｉ４に向かって下降する下りランプ電圧Ｌ４を発生し、走査電極ＳＣ１〜走査電極ＳＣｎに印加する。
【０１７１】
下りランプ電圧Ｌ４が負極性の電圧Ｖｉ４に到達したら、入力端子ＩＮ２を「Ｌｏ」にする。具体的には、入力端子ＩＮ２への定電流入力を停止する。こうして、ミラー積分回路５４の動作を停止する。また、図示はしていないが、スイッチング素子Ｑ４をオンにするとともに、維持パルス発生回路のクランプ回路によって基準電位Ａを０（Ｖ）に接続する。これにより、走査電極ＳＣ１〜走査電極ＳＣｎの電圧はベース電位である電圧０（Ｖ）まで上昇する。
【０１７２】
なお、サブフィールドＳＦ１において下りランプ電圧Ｌ２を発生するときの走査電極駆動回路４３の動作については説明を省略するが、下りランプ電圧Ｌ２を発生する動作は、図６に示す下りランプ電圧Ｌ４を発生する動作とほぼ同様である。
【０１７３】
また、サブフィールドＳＦ１において上りランプ電圧Ｌ１を発生するときの走査電極駆動回路４３の動作についても詳細な説明を省略するが、上りランプ電圧Ｌ１を発生する際には、スイッチング素子Ｑ６をオフにして、ミラー積分回路５５を基準電位Ａから電気的に分離する。そして、スイッチング素子ＱＨ１〜スイッチング素子ＱＨｎをオンにし、スイッチング素子ＱＬ１〜スイッチング素子ＱＬｎをオフにして、基準電位Ａに電圧Ｖｓｃを重畳した電圧を、走査電極ＳＣ１〜走査電極ＳＣｎに印加する。その後、ミラー積分回路５３を動作させて、上りランプ電圧Ｌ１を発生する。ミラー積分回路５３を動作するときの手順は、ミラー積分回路５５を動作するときの手順とほぼ同様である。
【０１７４】
なお、本実施の形態においては、上述したように、電圧Ｖｓｃ≦電圧Ｖｅｒｓ＜電圧Ｖｒ２となるように各電圧値を設定する。これは、電圧Ｖｒ２が電圧Ｖｓｃよりも低ければ２回目の消去放電が発生せず、電圧Ｖｅｒｓが電圧Ｖｓｃよりも低ければ、期間Ｔ３で電圧Ｖｓｃを走査電極ＳＣ１〜走査電極ＳＣｎに印加するタイミングで放電セルに強放電が発生し、放電セル内の壁電荷が過剰に消去されて、それ以降の放電が正常に発生しなくなる可能性が生じるためである。
【０１７５】
なお、本実施の形態によれば、書込み期間において、安定した書込み放電を発生させるために必要な書込みパルスの振幅を低減できる効果が得られる。
【０１７６】
図７は、本発明の一実施の形態における電圧Ｖｒ２と書込みパルス（振幅）との関係を示す特性図である。図７において、横軸は、電圧Ｖｒ２を表し、縦軸は、安定した書込み放電を発生するために必要な書込みパルス（振幅）の大きさを表す。
【０１７７】
なお、図７に示す特性を得るための実験は、電圧Ｖｅｒｓを電圧１９０（Ｖ）に設定して行った。したがって、図７に示す電圧Ｖｒ２を電圧１９０（Ｖ）にしたときの書込みパルス（振幅）の大きさは、消去ランプ電圧Ｌ５を発生せずに測定した結果を表している。
【０１７８】
図７に示すように、電圧Ｖｒ２を大きくしていくと、安定した書込み放電を発生するために必要な書込みパルス（振幅）の大きさを低減することができる。例えば、図７に示した実験結果では、電圧Ｖｒ２を電圧１９０（Ｖ）にしたときの書込みパルス（振幅）の大きさは約６５（Ｖ）であるが、電圧Ｖｒ２を電圧２２０（Ｖ）に設定したときの書込みパルス（振幅）の大きさは約５６（Ｖ）である。したがって、実験に用いたプラズマディスプレイ装置では、電圧Ｖｒ２を電圧２２０（Ｖ）に設定することで、電圧Ｖｒ２を電圧１９０（Ｖ）にするときよりも、書込みパルス（振幅）を約９（Ｖ）低減できることがわかる。
【０１７９】
これは、１回目の消去放電に加え２回目の消去放電を発生することで、放電セル間に、１回目の消去放電を発生する際の放電開始電圧に差があり、１回目の消去放電の放電発生量にばらつきが生じたとしても、各放電セルで、１回目の消去放電に２回目の消去放電を加えたときの放電発生量を互いにほぼ同等にすることができ、消去動作以降の初期化動作および書込み動作を安定に行うことが可能となるためと考えられる。
【０１８０】
したがって、安定した書込み放電を発生するために必要な書込みパルス（振幅）の大きさを低減することだけを目的とするならば、電圧Ｖｒ２をより大きい電圧値に設定すればよい。しかしながら、電圧Ｖｒ２を大きくすると、維持放電を発生していないにもかかわらず消去放電が発生する放電セルが生じるおそれがある。
【０１８１】
図８は、本発明の一実施の形態における電圧Ｖｒ２と黒輝度との関係を示す特性図である。図８において、横軸は、電圧Ｖｒ２を表し、縦軸は、黒輝度の明るさを表す。
【０１８２】
なお、図８に示す特性を得るための実験は、電圧Ｖｅｒｓを電圧１９０（Ｖ）に設定して行った。したがって、図８に示す電圧Ｖｒ２を電圧１９０（Ｖ）にしたときの黒輝度は、消去ランプ電圧Ｌ５を発生せずに測定した結果を表している。
【０１８３】
図８に示す実験結果では、電圧Ｖｒ２が電圧２１０（Ｖ）以下のときは黒輝度に変化はないが、電圧Ｖｒ２が電圧２２０（Ｖ）になると黒輝度が上昇している。これは、実験に用いたプラズマディスプレイ装置では、電圧Ｖｒ２を電圧２２０（Ｖ）に設定すると、維持放電を発生していないにもかかわらず消去放電が発生する放電セルが生じていることを表す。
【０１８４】
そして、維持放電を発生していないにもかかわらず消去放電が発生する放電セルが生じると、低階調を表示する放電セルの輝度が上昇してパネル１０に表示する画像のコントラストが損なわれる。
【０１８５】
したがって、実験に用いたプラズマディスプレイ装置に関しては、消去放電が誤って発生すること（誤発生）を防止するためには、電圧Ｖｒ２を電圧２１０（Ｖ）以下に設定することが望ましい。
【０１８６】
すなわち、実験に用いたプラズマディスプレイ装置に関しては、電圧Ｖｒ２を電圧２１０（Ｖ）に設定することで、安定した書込み放電を発生するために必要な書込みパルス（振幅）の大きさを低減しつつ、消去放電の誤発生を防止して良好なコントラストの画像をパネルに表示することができる。
【０１８７】
以上のように、電圧Ｖｒ２は、図７を用いて説明したように、安定した書込み放電を発生するために必要な書込みパルス（振幅）の大きさを低減することと、図８を用いて説明したように、消去放電の誤発生を防止することとの双方を考慮して設定することが望ましい。これにより、安定した書込み放電を発生するために必要な書込みパルス（振幅）の大きさを低減しつつ、消去放電の誤発生を防止して良好なコントラストの画像をパネルに表示することが可能となる。
【０１８８】
以上説明したように、本実施の形態では、維持パルスの発生が終了した後の維持期間の最後の期間において、ベース電位から第１の電位まで上昇する第１の傾斜波形電圧を走査電極ＳＣ１〜走査電極ＳＣｎに印加し、第１の傾斜波形電圧が第１の電位に到達した後は、一旦、走査電極ＳＣ１〜走査電極ＳＣｎの電位をベース電位とし、続いて、走査電極ＳＣ１〜走査電極ＳＣｎの電位を第２の電位とし、続いて、第２の電位から第３の電位まで上昇する第２の傾斜波形電圧を走査電極ＳＣ１〜走査電極ＳＣｎに印加する。
【０１８９】
すなわち、上述した説明では、維持パルスの発生が終了した後の維持期間の最後の期間において、電圧０（Ｖ）から電圧Ｖｅｒｓまで上昇する消去ランプ電圧Ｌ３を走査電極ＳＣ１〜走査電極ＳＣｎに印加し、続いて、走査電極ＳＣ１〜走査電極ＳＣｎの電位をベース電位とし、続いて、電圧Ｖｓｃを走査電極ＳＣ１〜走査電極ＳＣｎに印加し、続いて、電圧Ｖｓｃから電圧Ｖｒ２まで上昇する消去ランプ電圧Ｌ５を走査電極ＳＣ１〜走査電極ＳＣｎに印加する。
【０１９０】
そして、本実施の形態では、第２の電位は第１の電位以下の電位に設定し、第３の電位は第１の電位よりも高い電位に設定する。
【０１９１】
すなわち、上述した説明では、電圧Ｖｓｃ≦電圧Ｖｅｒｓ＜電圧Ｖｒ２とする。
【０１９２】
これにより、各放電セルで、１回目の消去放電を発生する際の放電開始電圧に差があり、１回目の消去放電の放電発生量にばらつきが生じたとしても、２回目の消去放電を発生することで、１回目の消去放電に２回目の消去放電を加えたときの放電発生量を互いにほぼ同等にすることができる。したがって、高精細化によって微細化された放電セルを有するパネル１０においても、消去放電の放電発生量を、各放電セルで、互いにほぼ同等にすることができ、消去動作を適正に行って壁電荷の調整を適正に行うことができるので、消去動作以降の初期化動作および書込み動作を安定に行うことが可能となる。
【０１９３】
さらに、電圧Ｖｒ２を適切な電圧値に設定することで、安定した書込み放電を発生するために必要な書込みパルス（振幅）の大きさを低減しつつ、良好なコントラストの画像をパネル１０に表示して、プラズマディスプレイ装置における画像表示品質を向上することが可能となる。
【０１９４】
なお、本実施の形態では、ベース電位を０（Ｖ）とする構成を説明したが、本発明においてベース電位は０（Ｖ）に限定されるものではない。本発明において、ベース電位は、駆動電圧をパネル１０に印加するときの基準となる電位のことである。
【０１９５】
なお、本実施の形態では、第１の傾斜波形電圧が第１の電位に到達した後、走査電極ＳＣ１〜走査電極ＳＣｎの電位を一旦ベース電位まで下げる構成を説明したが、本発明は何らこの構成に限定されるものではない。例えば、第１の傾斜波形電圧が第１の電位に到達した後、走査電極ＳＣ１〜走査電極ＳＣｎの電位を第１の電位から第２の電位まで低下し、その後、第２の傾斜波形電圧を印加する構成であってもよい。
【０１９６】
なお、本発明における全セル初期化波形は、何ら実施の形態に示した波形に限定されるものではない。全セル初期化波形は、直前のサブフィールドの動作にかかわらず放電セルに初期化放電を発生する波形であればどのような波形であってもかまわない。
【０１９７】
また、本実施の形態では、選択初期化期間に発生する選択初期化波形（下りランプ電圧Ｌ４）を全て同じ勾配で発生する構成を説明したが、本発明は、選択初期化波形を何らこの波形形状に限定するものではない。選択初期化波形は、直前の維持期間に維持放電を発生した放電セルだけに初期化放電を発生する波形であればどのような波形形状であってもかまわない。例えば、選択初期化波形を複数の期間に分け、各期間で勾配を変えて選択初期化波形を発生してもよい。
【０１９８】
例えば、走査電極２２への印加電圧を、放電が発生するまで（例えば、電圧０（Ｖ）から−１００（Ｖ））まで）は比較的急峻な勾配（例えば、−８Ｖ／μｓｅｃ）で下降し、それ以降（例えば、−１００（Ｖ）から−１３５（Ｖ）まで）はやや緩やかに（例えば、−２．５Ｖ／μｓｅｃの勾配で）下降し、最後に（例えば、−１３５（Ｖ）から−１６０（Ｖ）まで）は比較的緩やかな勾配（例えば、−１．０Ｖ／μｓｅｃ）で下降して選択初期化波形を発生してもよい。このような構成であっても、上述と同様の効果を得ることができる。また、この構成では、選択初期化波形の発生に要する期間を下りランプ電圧Ｌ４を発生するときと比較して短縮できるという効果も得ることができる。
【０１９９】
なお、本実施の形態では、１フィールドの先頭サブフィールド（サブフィールドＳＦ１）を全セル初期化サブフィールドとし、それ以降のサブフィールド（例えば、サブフィールドＳＦ２〜サブフィールドＳＦ８）を選択初期化サブフィールドとする構成を説明したが、本発明は何らこの構成に限定されるものではない。全セル初期化サブフィールドはサブフィールドＳＦ２、あるいはそれ以降のサブフィールドであってもよい。
【０２００】
なお、図６に示したタイミングチャートは本発明の実施の形態における一例を示したものに過ぎず、本発明は何らこれらのタイミングチャートに限定されるものではない。
【０２０１】
なお、本実施の形態においては、１つのフィールドを８つのサブフィールドで構成する例を説明した。しかし、本発明は１フィールドを構成するサブフィールドの数が何ら上記の数に限定されるものではない。例えば、サブフィールドの数を８よりも多くすることで、パネル１０に表示できる階調の数をさらに増加することができる。
【０２０２】
また、本実施の形態においては、サブフィールドの輝度重みを「２」のべき乗とし、サブフィールドＳＦ１からサブフィールドＳＦ８の各サブフィールドの輝度重みを（１、２、４、８、１６、３２、６４、１２８）に設定する例を説明した。しかし、各サブフィールドに設定する輝度重みは、何ら上記の数値に限定されるものではない。例えば、（１、２、３、７、１２、３１、５０、９８）等として階調を決めるサブフィールドの組み合わせに冗長性を持たせることにより、動画擬似輪郭の発生を抑制したコーディングが可能となる。１フィールドを構成するサブフィールドの数や、各サブフィールドの輝度重み等は、パネル１０の特性やプラズマディスプレイ装置１の仕様等に応じて適宜設定すればよい。
【０２０３】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０２０４】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０２０５】
なお、上述した駆動回路は一例を示したものであり、駆動回路の構成は上述した構成に限定されるものではない。
【０２０６】
なお、本発明における実施の形態は、走査電極ＳＣ１〜走査電極ＳＣｎを第１の走査電極グループと第２の走査電極グループとに分割し、書込み期間を、第１の走査電極グループに属する走査電極のそれぞれに走査パルスを印加する第１の書込み期間と、第２の走査電極グループに属する走査電極のそれぞれに走査パルスを印加する第２の書込み期間とで構成する、いわゆる２相駆動によるパネルの駆動方法にも適用させることができる。
【０２０７】
なお、本発明における実施の形態は、走査電極と走査電極とが隣り合い、維持電極と維持電極とが隣り合う電極構造、すなわち前面板に設けられる電極の配列が、「・・・、走査電極、走査電極、維持電極、維持電極、走査電極、走査電極、・・・」となる電極構造のパネルにおいても有効である。
【０２０８】
なお、本実施の形態において示した具体的な各数値、例えば、上りランプ電圧Ｌ１、下りランプ電圧Ｌ２、消去ランプ電圧Ｌ３、下りランプ電圧Ｌ４、消去ランプ電圧Ｌ５の各傾斜波形電圧の勾配等は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、サブフィールド数や各サブフィールドの輝度重み等も本発明における実施の形態に示した値に限定されるものではなく、また、画像信号等にもとづいてサブフィールド構成を切り換える構成であってもよい。
【産業上の利用可能性】
【０２０９】
本発明は、高精細化されたパネルにおいても、壁電荷の調整を適正に行って安定した書込み動作を行い、画像表示品質を向上することができるので、プラズマディスプレイ装置およびパネルの駆動方法として有用である。
【符号の説明】
【０２１０】
１    プラズマディスプレイ装置
１０    パネル
２１    前面基板
２２    走査電極
２３    維持電極
２４    表示電極対
２５，３３    誘電体層
２６    保護層
３１    背面基板
３２    データ電極
３４    隔壁
３５    蛍光体層
４１    画像信号処理回路
４２    データ電極駆動回路
４３    走査電極駆動回路
４４    維持電極駆動回路
４５    制御信号発生回路
５０    維持パルス発生回路
５１    初期化波形発生回路
５２    走査パルス発生回路
５３，５４，５５    ミラー積分回路
Ｑ１，Ｑ２，Ｑ３，Ｑ４，Ｑ５，Ｑ６，ＱＨ１〜ＱＨｎ，ＱＬ１〜ＱＬｎ    スイッチング素子
Ｃ１，Ｃ２，Ｃ３，Ｃ３１    コンデンサ
Ｄｉ３１    ダイオード
Ｒ１，Ｒ２，Ｒ３    抵抗
Ｌ１    上りランプ電圧
Ｌ２，Ｌ４    下りランプ電圧
Ｌ３，Ｌ５    消去ランプ電圧
【図１】
2012017633.tif 000003
【図２】
2012017633.tif 000004
【図３】
2012017633.tif 000005
【図４】
2012017633.tif 000006
【図５】
2012017633.tif 000007
【図６】
2012017633.tif 000008
【図７】
2012017633.tif 000009
【図８】
2012017633.tif 000010
【国際調査報告】
2012017633.tif 000011
2012017633.tif 000012
2012017633.tif 000013
2012017633.tif 000014